(57)【特許請求の範囲】
【請求項１】
ビタミンＣと、前記ビタミンＣを結合コーティング剤で１次カプセル化した１次カプセル層と、及び前記１次カプセル層表面を極度硬化された油脂（ヨード価が１．０以下、融点が５７℃以上）で２次カプセル化した２次カプセル層を含むビタミンＣが保護される反芻動物給与用飼料添加剤。
【請求項２】
前記ビタミンＣはアスコルビン酸及びこれの誘導体単独又はこれらの混合物であることを特徴とする請求項１に記載の反芻動物給与用飼料添加剤。
【請求項３】
前記結合コーティング剤は、ビスワックスと、ＰＧ、ＰＥＧ、及びこれらの組み合わせより成り立った群から選択されたポリマーと、界面活性剤と、カルシウムステアレイト、亜鉛ステアレイト、マグネシウムステアレイト及びこれらの組み合わせより成り立った群から選択された２価せっけんと、硬化油と、極度硬化油と、液状果糖と、セルロースと、シリカと、ゼオライト及びこれらの組み合わせより成り立った群から選択された１種であることを特徴とする請求項１に記載の反芻動物給与用飼料添加剤。
【請求項４】
前記極度硬化された油脂は、硬化植物油、硬化とうもろこし油、硬化綿油、硬化ピーナッツ油、硬化パームカーネル油、硬化パーム油、硬化パームステアリン油、硬化ひまわり油、硬化菜種油及びこれらの組み合わせより成り立った群から選択された１種であることを特徴とする請求項１に記載の反芻動物給与用飼料添加剤。
【請求項５】
ａ）前記ビタミンＣを結合コーティング剤でコーティングして１次カプセル層を形成する１次カプセル化を行う段階、及び
ｂ）前記１次カプセル化された物質を極度硬化された油脂（ヨード価が１．０以下、融点が５７℃以上）でコーティングして２次カプセル層を形成する２次カプセル化を行う段階を含むビタミンＣが保護される請求項１の反芻動物給与用飼料添加剤の製造方法。
【請求項６】
前記１次カプセル化はビタミンＣ１０〜９０重量％と結合コーティング剤１０〜９０重量％を混合して、得られた混合物を圧出機を利用して１０〜６０℃で圧出した後、射出成形機を経て顆粒の１次カプセル物質を製造することを特徴とする請求項５に記載の反芻動物給与用飼料添加剤の製造方法。
【請求項７】
前記２次カプセル化は１次カプセル物質２０〜９５重量％と２次カプセル物質である極度硬化された油脂より成り立った群から選択された１種を５〜８０重量％混合して、得られた混合物をハイスピードミキサー、リボンミキサー、又は流動層工程機を使って２次カプセル化を行うことを特徴とする請求項５に記載の反芻動物給与用飼料添加剤の製造方法。 
【発明の詳細な説明】
【技術分野】
【０００１】
本発明は反芻胃ビタミンＣを反芻動物に安全に供給可能になるによって反芻動物の生産性増加効果及び肉類品質を高めて農家及び加工事業に利益を増大させるビタミンＣが保護される反芻動物給与用飼料添加剤、これの製造方法及び用途に関する。
【背景技術】
【０００２】
肥肉牛に対するビタミンＣ要求量はまだ明かされていないし、一部家畜に対する研究で必須成分と知られている。しかし、反芻動物の反芻胃内で大部分のビタミンＣが分解されるので反芻胃を通過して小腸で吸収されて利用されることができるように反芻胃で分解されないように保護する技術開発が必要である。
【０００３】
特に、ビタミンＣの欠乏の時代表症状で疾病に対する抵抗力減少と外部環境からのストレスに敏感に反応する。このようなビタミンＣの補充が筋内脂肪細胞の分化促進、抗酸化作用で免疫力強化、高温及び分娩ストレス克服に影響を与えるが飼料に補充されたビタミンＣが反芻胃内で多くの部分が分解されると報告された。
【０００４】
また、肥肉牛の肉色はミオグロビンの存在形態によって決まって、この３種類形態のミオグロビンは代謝作用、ｐＨ、空気との接触時間などによって含量が決まる。特に、空気中の酸化作用によって肉色低下現象が促進されるが屠畜の前に肥肉牛の栄養状態によってストレスが減少されて抗酸化作用をする生理活性物質であるビタミンＣを供給することでこのような現象を減らすことができる。
【０００５】
このような理由で本発明者は反芻動物にも供給することができる反芻胃分解に安定したコーティングされたビタミンＣを発明するようになった。ビタミンＣは家畜では必須栄養成分であるが反芻動物の場合反芻胃で分解されてその効能を得られない理由でずいぶん前からビタミンＣが反芻胃で分解されないようにする技術が考案されて来た。
【０００６】
例えば特許Ｗ００２／０５６７０４Ａ１には肥肉牛のマーブリング効果を高めるためにビタミンＣを供給することを明示している。特に反芻胃で安定するように硬化大豆油を使ってコーティングしたビタミンＣを給与する場合ビタミンＣ非給与対照群に比べて肉色と肉質面で優秀な効果があることを明示している。しかし、使ったコーティング脂質である硬化大豆油の使用量が少なくて反芻胃バイパス率が低下した状態で常用化した場合に流通過程でコーティング物質の安全性が低下する短所がある。
【０００７】
また、米国特許第４，８０８，４１２号には反芻胃保護のために高分子物質を利用して生理活性物質を保護する技術が明示されているが、このとき使った高分子物質の種類があんまり多いので実際商用化時に単価が高くなる短所がある。
【０００８】
大韓民国登録特許第１０−４９１１６４号には肥肉牛の肉色低下防止目的でビタミンＣとＢ群を鉱物質と混合して給与する方法に対して明示されているが、前記ビタミンＣとＢ群が反芻胃で分解されないで安定するようにパスできるようにするための反芻胃保護技術の不足な点が短所である。
【０００９】
前記の特許外に生理活性物質を反芻胃で分解されないようにするための特許があるが、ほとんど大部分が実際商用化するには多少問題があるとか効能が低下される短所がある。
【００１０】
しかし、実際常用化された製品ではロシュ社の反芻動物用ビタミンＣがある。この製品はビタミンＣにリン酸塩を付けてさらにセルロースにコーティングした製品だがビタミンＣ自体ではなく誘導体なので吸収率が落ちて反芻胃バイパス率も落ちて実際給与の時優秀な効果を得るためには過量使わなければならないと言う短所がある。なおかつ前記製品は価格が高価である点も農家には負担で作用して広く使うことができない問題点がある。
【特許文献１】米国特許第４，８０８，４１２号
【特許文献２】大韓民国登録特許第１０−４９１１６４号
【発明の開示】
【発明が解決しようとする課題】
【００１１】
ここで本発明者は反芻動物の反芻胃内で易しく分解されることでビタミンＣの供給効果を見られなかったビタミンＣを反芻胃で微生物及びｐＨと水分によって分解されないで安定するように下部消化器官に移動して吸収されるように反芻胃保護ビタミンＣの製造に対して多角的に研究した結果、特定造成を利用して２段階にわたったカプセル化工程を遂行する場合反芻胃内でビタミンＣが保護されて反芻動物の生産性増加効果があることを確認して見発明を完成した。
【００１２】
本発明の目的は反芻胃バイパス率が優秀でビタミンＣが保護される反芻動物給与用飼料添加剤及びこれの製造方法を提供するのである。また、本発明の他の目的は前記ビタミンＣが保護される反芻動物給与用飼料添加剤を反芻動物に給与して肉質を向上させる方法を提供するのである。
【課題を解決するための手段】
【００１３】
前記目的を果たすため、本発明はビタミンＣと、前記ビタミンＣを結合コーティング剤で１次カプセル化した１次カプセル層及び前記１次カプセル層表面を極度硬化された油脂（ヨード価が１．０以下、融点が５７℃以上）で２次カプセル化した２次カプセル層を含むビタミンＣが保護される反芻動物給与用飼料添加剤に特徴がある。 
【００１４】
また本発明は、
ａ）前記ビタミンＣを結合コーティング剤でコーティングして１次カプセル層を形成する１次カプセル化を行う段階、及び
ｂ）前記１次カプセル化された物質を極度硬化された油脂（ヨード価が１．０以下、融点が５７℃以上）でコーティングして２次カプセル層を形成する２次カプセル化を行う段階を含むビタミンＣが保護される反芻動物給与用飼料添加剤の製造方法に特徴がある。 
【００１５】
また、本発明は前記ビタミンＣが保護される反芻動物給与用飼料添加剤を反芻動物の飼料に添加して反芻動物に供給することで反芻動物の肉量及び肉質を向上させることに特徴がある。
【発明の効果】
【００１６】
本発明品を反芻動物に給与すれば反芻胃内でビタミンＣが保護されて効率的にビタミンＣを飼料に添加して利用することができるし、生産性増加に寄与して、ビタミンＣの効果によって高品質の畜産物を生産できる効果がある。
【発明を実施するための最良の形態】
【００１７】
以下、本発明を詳しく説明する。本発明によるビタミンＣが保護される反芻動物給与用飼料添加剤はビタミンＣを結合コーティング剤で１次カプセル化した１次カプセル層と、前記１次カプセル層の表面を極度硬化された油脂（ヨード価が１．０以下、融点が５７℃以上）で２次カプセル化した２次カプセル層とによりコーティングした構造を持つ。 
【００１８】
前記飼料添加剤はビタミンＣの表面を２層にカプセル化することで従来反芻動物にビタミンＣを供給する場合反芻動物の反芻胃で微生物及びｐＨと水分によって分解される問題を解消して、ビタミンＣが安全に下部消化器官に移動して吸収が可能である。
【００１９】
前記ビタミンＣではアスコルビン酸及びこれの誘導体が可能であり、これらを単独又は混合して使う。前記１次カプセル層は結合剤とコーティング剤を混合して射出コーティングされて、このようにコーティングされた製品はビタミンＣを熱と圧力から安定化させるカプセル層を形成する。
【００２０】
このような結合コーティング剤ではビスワックスと、ＰＧ、ＰＥＧ、及びこれらの組み合わせより成り立った群から選択されたポリマーと、界面活性剤と、カルシウムステアレイト、亜鉛ステアレイト、マグネシウムステアレイト、及びこれらの組み合わせより成り立った群から選択された２価せっけんと、硬化油と、極度硬化油と、液状果糖と、セルロースと、シリカ及びこれらの組み合わせより成り立った群から選択された１種が可能である。
【００２１】
前記２次カプセル層は１次カプセル化製品を反芻胃で安全性を高めてくれる役割をして安定するように下部消化器官にバイパスされ吸収及び消化を可能にさせてくれる。前記２次カプセル層は極度硬化された油脂でヨード価が１．０以下で融点が５７℃以上のものを使用可能である。代表的に、前記極度硬化された油脂では硬化植物油、硬化とうもろこし油、硬化綿実油、硬化ピーナッツ油、硬化パームカーネル油、硬化パーム油、硬化パームステアリン油、硬化ひまわり油、硬化菜種油、及びこれらの組み合わせより成り立った群から選択された１種を使用可能である。 
【００２２】
このようなビタミンＣが保護される反芻動物給与用飼料添加剤は、
ａ）前記ビタミンＣを結合コーティング剤でコーティングして１次カプセル層を形成する１次カプセル化を行う段階、及び
ｂ）前記１次カプセル化された物質を極度硬化された油脂（ヨード価が１．０以下、融点が５７℃以上）でコーティングして２次カプセル層を形成する２次カプセル化を行う段階を経て製造される。 
【００２３】
まず、ａ）段階ではビタミンＣを結合コーティング剤と混合後１次カプセル化する工程を遂行する。前記１次カプセル化は、具体的に混合機にビタミンＣ１重量部当たり結合コーティング剤を一定含量で添加して均一に混合して、前記混合して得た混合物を圧出した後、カプセル製造のための多孔板で射出成形する工程で成り立つ。 
【００２４】
前記混合機は通常の混合機、一例でリボンミキサー、一般撹拌機、ホモミキサー、又はＶ形混合機を使う。このときビタミンＣ１重量単位当り結合コーティング剤が０．１〜２重量単位で混合することが望ましい。もし、０．１重量単位以下では結合力が落ちて圧出機で成形が難しいし、２単位以上では最終ビタミンＣの含量が低下する短所がある。このとき前記‘重量単位’の意味は重量（weight）の概念で、一例でビタミンＣ１重量単位と結合コーティング剤の０．１重量単位はビタミンＣ１ｇを使う場合に結合コーティング剤を０．１ｇ使うことを意味する。 
【００２５】
このとき必要によって前記混合機に適量の水を添加する。前記混合機を通して得られた混合物は圧出機を利用して１０〜６０℃で圧出した後、射出成形機を経て顆粒又は浸状形態の１次カプセル物質を製造する。
【００２６】
このとき前記圧出機としては通常的に使われる圧出機（Extruder）やプルローダ（Plodder）が可能である。また前記射出成形機はカプセル化するために多孔板の大きさが０．５ｍｍ〜２．５ｍｍである装置を使う。
【００２７】
次に、ｂ）段階では前記１次カプセル化された物質を極度硬化された油脂（ヨード価が１．０以下、融点が５７℃以上）でコーティングして２次カプセル層を形成する２次カプセル化を遂行する。 
【００２８】
２次カプセル層を形成するため、１次カプセル物質２０〜９５重量％と２次カプセル物質である極度硬化された油脂（ヨード価が１．０以下、融点が５７℃以上）を５〜８０重量％で混合する。前記２次カプセル物質の含量が前記範囲未満であれば２次カプセル層の厚さがとても薄くて飼料添加剤が反芻胃で溶解されてビタミンＣが分解される問題が発生する。これと反対にその含量が前記範囲を超過すれば、２次カプセル層の厚さがとても厚くて下部消化器官でビタミンＣの吸収が難しくなる。 
【００２９】
前記混合された混合物はカプセル化装置であるハイスピードミキサー、リボンミキサー、流動層工程機などを使って２次カプセル化を遂行する。このとき具体的な方法は本発明で限定しないし、公知されたようなカプセル工程に従う。
【００３０】
このような段階を経て製造された本発明による飼料添加剤はビタミンＣを２重でコーティングされた構造を持って、適用しようとする反芻動物によってその大きさを適切に変更して製作が可能であり、望ましくは０．５ｍｍ以下、より望ましくは０．０５〜０．３ｍｍで製作する。 
【００３１】
前記製造された反芻胃保護ビタミンＣは形態は均等で均一な姿を現わす長所があり、ビタミンＣを含んだ１次コーティング製品に追加で２次コーティング過程を経るのでビタミンＣが表面に分布する可能性がなくて投入されたビタミンＣの大部分が安全性を維持することができる長所がある。このような飼料添加剤を反芻動物に供給することで反芻動物の肉量及び肉質を向上させる。
【００３２】
従来反芻動物にビタミンＣを供給する場合反芻胃内で易しく分解されることでビタミンＣの供給効果を見られなかったが、本発明によって製造された反芻胃保護ビタミンＣを含む飼料添加剤を供給する場合ビタミンＣが反芻胃で微生物及びｐＨと水分によって分解されないで安定するように下部消化器官に移動して吸収される。
【００３３】
これによって反芻動物の栄養素利用効率を高めて生産性を増加させて、畜産物内移行を増加させて機能性畜産物の生産が可能になる。前記反芻動物は本発明で特別に限定されるのではなく、公知されたすべての反芻動物に可能であり、望ましくは畜産業に有用な乳牛、韓牛、鹿、羊などを含む。
【００３４】
本発明の望ましい実験例３によれば、韓牛に反芻胃保護ビタミンＣを含む飼料添加剤を供給する場合肉量と肉質で対照群と比べて大分向上された効果を確認した。以下、本発明の理解を助けるために望ましい実施例を提示する。しかし、下記の実施例は本発明をより易しく理解するために提供されることであり、実施例によって本発明の内容が限定されるのではない。
【実施例】
【００３５】
［実施例１］
ビタミンＣ６５０ｇとシリカ２５０ｇ、液状果糖２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。 
【００３６】
[実施例２]
ビタミンＣ６５０ｇとシリカ３５０ｇ、液状果糖１００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００３７】
[実施例３]
ビタミンＣ６５０ｇとシリカ１５０ｇ、液状果糖３００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００３８】
[実施例４]
ビタミンＣ６５０ｇとシリカ３５０ｇ、液状果糖３００ｇ、硬化油５００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００３９】
[実施例５]
ビタミンＣ６５０ｇとシリカ１５０ｇ、液状果糖１００ｇ、硬化油９００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４０】
[実施例６]
ビタミンＣ６５０ｇ、カルシウムステアレイト２５０ｇ、液状果糖２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４１】
[実施例７]
ビタミンＣ６５０ｇとナトリウムせっけん２５０ｇ、液状果糖２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４２】
[実施例８]
ビタミンＣ６５０ｇとシリカ２５０ｇ、精製数２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４３】
[実施例９]
ビタミンＣ６５０ｇとシリカ２５０ｇ、ＰＧ２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４４】
[実施例１０]
ビタミンＣ６５０ｇとシリカ２５０ｇ、ツイン８０２００ｇ、硬化油７００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４５】
[実施例１１]
ビタミンＣ６５０ｇとナトリウムせっけん３００ｇ、ゼオライト２５０ｇ、液状果糖１００ｇ、硬化油５００ｇをよく混ぜた後１．０ｍｍ多孔板を通して射出して１次カプセル物質を製造した。製造された１次カプセル物質１．８ｋｇをハイスピードミキサーに入れて液状の硬化パームステアリン油１．２ｋｇを添加して２重コーティングをした。
【００４６】
[実験例１]
製造された反芻胃保護ビタミンＣの水分に対する安全性を測定するために試験管実験と生体内試験を実施した。先に試験管内で安全性を測定するために製造された反芻胃保護ビタミンＣを試験管に入れて蒸溜水を添加して５重量％水溶液で製造した。このように製造した水溶液をＪＥＩＯ  ＴＥＣＨ  ＭＣ−１１マルチストロ水浴組を使って４０℃±０．１℃から２時間の間撹拌した。引き継いで、Ｗｈａｔｍａｎ  ｐａｐｅｒ  Ｎｏ．３を使ってフィルタリングして固形分だけを取った後４５℃±０．１℃から１２時間以上乾燥して残余水分を完全に除去した。
【００４７】
前記乾燥した試料をＳａｎｐｌａｄｒｙ ｋｅｅｐｅｒで常温で冷却した後この中５００ｍｇを溶媒で使われるメタリン酸溶液に完全に溶かした後澱粉指示薬を適量添加した後０．１Ｎヨード溶液を適正試薬にしてビタミンＣの含量を測定したし，全ての分析実験で３回繰り返し測定した。また試験管試験で安全性が優秀で製品の大きさが適当でビタミンＣの含量が高い製品を選定して生体内で安全性試験を実施したし、得られた結果を下記表１に示した。
【００４８】
【表１】
0004908437.tif 000002
【００４９】
前記表１を参照すれば、反芻胃保護処理方法別に反芻胃内損失率は７．５％から２８．５％で反芻胃内で多くの部分が分解されなく下部消化器官に移行されることを分かった。
【００５０】
[実験例２]
前記実験例１の試験管実験で安全性が優秀で製品の大きさが適当でビタミンＣの含量が高い製品を選定して生体内で安全性試験を行った。
【００５１】
乳牛での試験のために対照群１（無給与群）、対照群２（市販Ａ社）、試験群（実施例１）で分けて、各処理別で非乳時期と生産能力が似ている個体を４匹ずつ総１２匹を公示して利用した。このとき対照群２及び試験群にそれぞれ市販Ａ社の製品と本発明による実施例１の反芻胃保護ビタミンＣを一匹当たり毎日２０ｇずつ給与飼料に追加して摂取させたし、全ての公示畜から血液を採取して血液内ビタミンＣ含量を測定してビタミンＣの血液内移行程度を測定したし、得られた結果を下記表２に示した。
【００５２】
【表２】
0004908437.tif 000003
【００５３】
表２を参照すれば、対照群１と２に比べて開発された反芻胃保護ビタミンＣの給与時血液内移行が４２．０６〜４４．３８％が増加して反芻胃で分解されないで多量が吸収されて反芻動物が効率的に利用できることを確認した。
[実験例３]
【００５４】
肉量特性変化
本発明によるビタミンＣ給与後韓牛の肉量及び肉質にどのような変化があったかを確認するために下記の試験を実施した。
【００５５】
韓牛試験のために１３ヶ月齢の韓牛を２０匹公示して、無給与である対照群１０匹及び本発明による実施例１の反芻胃保護ビタミンＣ給与群である試験群にして２６ヶ月齢まで肥肉試験を実施した。このとき試験群は反芻胃保護ビタミンＣを体重ｋｇ当り４０ｍｇを毎日飼料と共に給与した。試験が終わった後屠畜して肉量特性の変化を下記表３及び図１に示した。このとき対照群は飼料添加剤を添加しない韓牛である。
【００５６】
【表３】
0004908437.tif 000004
【００５７】
前記表３及び図１を参照すれば、本発明によって製造された飼料添加剤を韓牛に投与する場合肉量等級が大きく向上されることを分かる。
【００５８】
肉質特性変化
同一な試験で試験屠畜後肉質特性の変化を調査した結果を下記表４及び図２に示した。このとき対照群は飼料添加剤を添加しない韓牛である。
【００５９】
【表４】
0004908437.tif 000005
【００６０】
前記表４及び図２を参照すれば、本発明によって製造された飼料添加剤を使って韓牛肥肉牛に適用する場合、反芻胃内の保護ビタミンＣの給与効果を検証する試験で肉生産及び肉質等級が改善されることを確認した。このような結果は本発明による飼料添加剤を使って反芻動物に反芻胃保護ビタミンＣの供給が容易くなって、これによって高品質の牛肉生産が可能である。
【産業上の利用可能性】
【００６１】
本発明によって反芻胃保護ビタミンＣを反芻動物に安全に供給が可能になるによって反芻動物の生産性増加効果及び肉類品質を高めて農家及び加工事業に利益を増大可能である。
【図面の簡単な説明】
【００６２】
【図１】実験例３で本発明による飼料添加剤を投与した試験群と対照群の肉量等級の変化を示したグラフ。
【図２】実験例３で本発明による飼料添加剤を投与した試験群と対照群の肉質等級の変化を示したグラフ。
【図１】
0004908437.tif 000006
【図２】
0004908437.tif 000007